(57)【要約】【課題】場内が汚れること、及び、空気中に飛散した塵埃が外部に出ることを抑制すること。【解決手段】本発明による塵埃の飛散防止方法は事業所の場内と外部を区画するために設けられる囲いの上部から、前記場内側で斜め上方に霧状に水を噴霧することを特徴とする。【選択図】図１
2015090059.tif 000002
【特許請求の範囲】
【請求項１】
事業所の場内と外部を区画するために設けられる囲いの上部から、前記場内側で斜め上方に霧状に水を噴霧する、
ことを特徴とする塵埃の飛散防止方法。
【請求項２】
請求項１記載の塵埃の飛散防止方法であって、
水の噴霧量を、前記場内に水溜りが生じないように調節する、
ことを特徴とする塵埃の飛散防止方法。
【請求項３】
請求項１又は２記載の塵埃の飛散防止方法であって、
前記囲いからの距離が第１の距離である箇所に配置したノズルから、前記場内側で斜め上方に霧状に水を噴霧すると共に、前記囲いからの距離が前記第１の距離よりも長い第２の距離である箇所に配置したノズルから、前記場内側で斜め上方に霧状に水を噴霧する、
ことを特徴とする塵埃の飛散防止方法。
【請求項４】
請求項１乃至３のいずれか１項記載の塵埃の飛散防止方法であって、
前記囲いの上方に、前記囲いに沿った帯状のネットを設置する、
ことを特徴とする塵埃の飛散防止方法。
【請求項５】
事業所の場内と外部を区画するために設けられる囲いに設置される塵埃の飛散防止装置であって、
前記囲いの上部内側に沿って水平方向に延びる、水の供給配管と、
前記供給配管の複数の箇所において前記供給配管から分岐し、前記場内側で斜め上方に霧状に水を噴霧する複数の噴霧部と、を備える、
ことを特徴とする塵埃の飛散防止装置。
【請求項６】
請求項５記載の塵埃の飛散防止装置であって、
前記複数の噴霧部は、
前記供給配管からノズルまでの長さが異なる噴霧部を含む、
ことを特徴とする塵埃の飛散防止装置。
【発明の詳細な説明】
【技術分野】
【０００１】
本発明は工事現場等の事業所における塵埃の飛散防止技術に関する。
【背景技術】
【０００２】
工事現場等の事業所では、作業に伴って塵埃が飛散する場合がある。塵埃の飛散を防止する技術としては、場内に水を散布したり、霧状に噴霧することで、塵埃の発生源或いは場内全体を水で濡らしておくことが提案されている（例えば特許文献１）。
【先行技術文献】
【特許文献】
【０００３】
【特許文献１】特許第３８４０１７４号公報
【発明の概要】
【発明が解決しようとする課題】
【０００４】
塵埃の発生源或いは場内全体を水で濡らしておく方式では、場内の地面或いは通路といった歩行路が水で濡れ、水溜りも生じ得る。作業者が歩行すると履物に泥が付着し、これが建造物や事務所に持ち込まれて建造物や事務所が汚れる場合がある。また、建造物の壁面に付着した水は、洗浄が難しい汚れやシミになる場合があり、新築の建造物の場合には特に目立つことになる。
【０００５】
このように、塵埃の発生源或いは場内全体を水で濡らしておく方式では場内が汚れる場合がある。また、空気中に飛散した塵埃が気流に乗って外部に出ることを防止できない。
【０００６】
本発明の目的は、場内が汚れること、及び、空気中に飛散した塵埃が外部に出ることを抑制することにある。
【課題を解決するための手段】
【０００７】
本発明によれば、例えば、事業所の場内と外部を区画するために設けられる囲いの上部から、前記場内側で斜め上方に霧状に水を噴霧する、ことを特徴とする塵埃の飛散防止方法が提供される。
【発明の効果】
【０００８】
本発明によれば、場内が汚れること、及び、空気中に飛散した塵埃が外部に出ることを抑制することができる。
【図面の簡単な説明】
【０００９】
【図１】（Ａ）は本発明を実施可能な事業所の例を示す平面図、（Ｂ）は水の噴霧例を示す図。
【図２】飛散防止装置の部品図。
【図３】（Ａ）は取付金具の外観図、（Ｂ）は取付金具の使用例の説明図。
【図４】塵埃の飛散防止の説明図。
【図５】（Ａ）はネットの設置例を示す図、（Ｂ）はネットによる風の低減効果の説明図。
【発明を実施するための形態】
【００１０】
図１（Ａ）は本発明を実施可能な事業所の例を示す平面図である。事業所としては、例えば、工事現場、廃棄物処理施設、研磨作業を行う生産施設、木工所等、塵埃が発生する場所を挙げることができる。本実施形態の場合、事業所として工事現場を想定している。事業所の場内１００と外部２００とは囲い１で区画されている。本実施形態の場合、囲い１は仮囲いを想定している。
【００１１】
囲い１の途中部位には開閉可能なゲートＧが設けられており、外部２００から場内１００へ出入り可能となっている。場内１００では、例えば、既設構造物の解体工事、建設物の新築等の各種工事が行われる。なお、囲い１の平面視形状はここでは方形であるが、場内１００の敷地形状に合わせて適宜の形状とされ、また、ゲートＧも複数個所に設けることができる。
【００１２】
囲い１には霧状に水を噴霧するノズルＮ１、Ｎ２を備えた飛散防止装置２が設置されており、場内１００で発生した塵埃が外部２００に飛散することを防止する。図１（Ｂ）はノズルＮ１、Ｎ２による水の噴霧例を示す図であり、囲い１を場内１００側から見た部分斜視図である。
【００１３】
囲い１は、複数のパネル１０と、複数のパネル１０を垂直姿勢で平面的に支持する枠体１１とから構成されている。枠体１１は鋼管等の棒材１２〜１７を組み合わせて構成されている。棒材１２は水平方向に延設してパネル１０に固定される。棒状部材１２は、上下方向に複数段（ここでは３段）設けられている。棒材１３は上下方向に延設して棒材１２に固定される。棒材１２は水平方向に離間して複数設けられている。棒材１５は棒材１２及び１３と直交するように水平方向に延設して最下段の棒材１２及び棒材１３に固定される。棒材１５は水平方向に離間して複数設けられている。棒材１７は棒材１２と平行に水平方向に延設して設けられており、棒材１５の端部に固定されている。棒材１４は、斜めに配置され、棒材１３及び１５に固定されている。棒材１７は上下方向に延設して棒材１４及び１５に固定される。棒材１３及び１７の下端部は地中に埋設される。
【００１４】
囲い１には飛散防止装置２が設けられている。飛散防止装置２は、供給配管Ｔと、複数の噴霧部２０と、を備える。供給配管Ｔは囲い１のパネル１０の上部内面に沿って水平方向に延び、水を噴霧部２０に供給する。噴霧部２０は供給配管Ｔの複数の箇所に設けられ、供給配管Ｔから分岐している。噴霧部２０は、供給配管Ｔから供給される水を場内１００側で斜め上方に霧状に噴霧する。噴霧する水滴の直径は例えば数μ〜数十μである。
【００１５】
本実施形態の場合、噴霧部２０は２種類設けられている。ノズルＮ１を備える噴霧部２０は、供給配管ＴからノズルＮ１までの距離が短く設定されている。ノズルＮ２を備える噴霧部２０は、供給配管ＴとノズルＮ２との間に配管２２１が介在しており、供給配管ＴからノズルＮ２までの距離が長く設定されている。ノズルＮ１は、相対的に低い位置で、かつ、囲い１側にミストＭ１を噴霧し、ノズルＮ２は、相対的に高い位置で、かつ、場内１００側にミストＭ２を噴霧する。このように、ミストの噴霧位置を異ならせることで、囲い１の上方に、より広範囲にミストを噴霧することができる。
【００１６】
本実施形態の場合、ノズルＮ１を備える噴霧部２０とノズルＮ２を備える噴霧部２０とが交互に配置されているが、これに限られず、一方の噴霧部２０を二つ置きや三つ置きに配置することも可能である。また、ミストの噴霧位置は２種類に限られず、３種類以上であってもよく、これにより更に広範囲にミストを噴霧することができる。逆にミストの噴霧位置を１種類としても構わない。
【００１７】
既に述べたとおり、本実施形態の場合、囲い１は仮囲いであり、工事終了後に撤去される。また、囲い１の設置長さや形状は、工事現場によって様々である。よって、飛散防止装置２は、簡易に設置でき、かつ、全長の調整等が簡易であることが好ましい。そこで、本実施形態では、複数のユニットから飛散防止装置２を構成している。図２は飛散防止装置２の部品図であり、ユニット２１〜２５を示している。飛散防止装置２は、ユニット２１〜２５を組み合わせて構成することができる。
【００１８】
ユニット２１は、ノズルＮ１を備える噴霧部２０を構成するユニットであり、供給配管Ｔと、その一端に接続されたＴ字型の継手部ＴＪと、継手部ＴＪに接続されたノズルＮ１とを備える。継手部ＴＪは接続部を３つ備えており、１つの接続部が未接続になっている。ユニット２２は、ノズルＮ２を備える噴霧部２０を構成するユニットであり、供給配管Ｔと、その一端に接続された継手部ＴＪと、継手部ＴＪに接続された配管２２１と、配管２２１の先端に接続されたノズルＮ２とを備える。
【００１９】
ユニット２３は、ノズルＮ１を備える噴霧部２０を構成するユニットであり、供給配管Ｔと、その一端に接続されたＬ字型の継手部ＬＪと、継手部ＬＪに接続されたノズルＮ１とを備える。継手部ＬＪは接続部を２つ備えている。ユニット２３は、供給配管Ｔの終端部を構成する。ユニット２４は、ノズルＮ１を備える噴霧部２０を構成するユニットであり、供給配管Ｔと、その一端に接続された継手部ＴＪと、継手部ＴＪに接続されたノズルＮ１と、供給配管Ｔの他端に接続された継手部ＬＪとを備える。継手部ＴＪは、その１つの接続部が未接続となっている。ユニット２４は、供給配管Ｔの始端部を構成する。
【００２０】
ユニット２５は、ストレーナ付きのバルブユニットであり、ユニット２４の継手部ＴＪに接続される接続部２５１と、ポンプや蛇口等の水源からのホースが接続される接続部２５２と、バルブ２５３とを備える。バルブ２５３を開放することで、接続部２５２から接続部２５１へ水が流れ、バルブ２５３を閉鎖すると断水できる。
【００２１】
図１（Ａ）及び（Ｂ）に示したように、ノズルＮ１を備える噴霧部２０とノズルＮ２を備える噴霧部２０とを交互に配置する場合、必要な全長分だけユニット２１とユニット２２とを交互に接続する。接続の際は、供給配管Ｔの端部Ｅを継手部ＴＪの未接続の接続部に接続するだけである。そして、供給配管Ｔの終端部においてはユニット２３を接続する。全長を変更する場合や、ノズルＮ１とノズルＮ２との配置態様を変更する場合は、ユニット間の接続態様や接続数を変更するだけで柔軟な対応が可能である。
【００２２】
供給配管Ｔの始端部においてはユニット２４を接続し、更に、ユニット２４の継手部ＬＪにユニット２５の接続部２５１を接続する。このようにして組み立てた飛散防止装置２は、例えば、パネル１０の上部に固定する。固定方法としては簡易なものがよく、例えば、図３（Ａ）に示す取付金具２６を用いる。図３（Ｂ）は取付金具２６の使用例を示す。
【００２３】
取付金具２６は、金属板を逆Ｕ字型に曲折して形成された本体部２６１と、本体部２６１に螺着された締結具２６２と、本体部２６１に固定されたクリップ２６３と、を備える。締結具２６２は、本体部２６１の逆Ｕ字の一片に形成したネジ孔２６１ａに螺着したネジ軸２６２ａを備える。本体部２６１は、パネル１０の上端部にかぶせるようにしてパネル１０に装着される。締結具２６２のネジ軸２６２ａをネジ孔２６１ａに締め付けることで、ネジ軸２６２ａの先端がパネル１０の表面に当接し、取付金具２６がパネル１０に固定される。
【００２４】
クリップ２６３は、ネジ２６４によって本体部２６１の逆Ｕ字の他片に固定されている。クリップ２６３は、円弧形状の係合片２６３ａ、２６３ｂを有している。係合片２６３ａ、２６３ｂの間に飛散防止装置２の一部（図３（Ｂ）の例では継手部ＴＪ）を挟んで係合片２６３ａ、２６３ｂを係合することで、取付金具２６と飛散防止装置２とが互いに係止される。
【００２５】
供給配管Ｔの長手方向の複数の箇所において、取付金具２６を事前に飛散防止装置２を係止しておき、取付金具２６をパネル１０の上端部に固定することで、飛散防止装置２を比較的簡易にパネル１０に設置することができる。その後、ユニット２５の接続部２５２に水源のホースを接続すると、ミストの噴霧が可能な状態となる。バルブ２５３の開度を調整するか、または、水源の水圧を調整することで、水の噴霧量を調節可能である。
【００２６】
次に、塵埃が外部２００へ飛散することを防止できる原理について図４を参照して説明する。同図に示すように、ノズルＮ１及びＮ２からミストＭ１、ミストＭ２が囲い１（パネル１０）の上部から、場内１００側で斜め上方に噴霧される。噴霧する方向を、垂直方向から角度θで示すと、０＜θ＜９０度であり、好ましくは例えば４５度≦θ≦７５度である。ノズルＮ１とノズルＮ２とでは、噴霧する方向が異なっていてもよい。
【００２７】
ミストＭ１、ミストＭ２の噴霧により、パネル１０の上部内側には、ミスト幕Ｍが形成され、このミスト幕Ｍは矢印ｄ１で示すような下降する性質を有している。したがって、場内１００から気流に乗った塵埃Ｐが囲い１の外部２００へ流出する状況下において、塵埃Ｐにミスト幕Ｍの水滴が付着して塵埃同士が凝集して場内１００に落下することが促進される。これにより、囲い１から外部２００へ流出する塵埃の量を大幅に減少することが可能となる。
【００２８】
飛散防止原理はこのようなものであるから、場内１００を濡らす必要はない。水の噴霧量は、好ましくは場内１００に水溜りが生じないように、更に好ましくは場内１００が濡れないように、調節することができる。ミスト幕Ｍは下降するにしたがって蒸発するので、場内１００が濡れることはこの蒸発によっても抑制される。このように、場内１００を濡らさなくても塵埃の外部２００への飛散が防止できるので、場内が汚れることも抑制される。
【００２９】
風が強い場合には、ミスト幕Ｍが風で流される場合がある。そこで、囲い１の上方に、囲い１に沿った帯状のネットを設置してもよい。図５（Ａ）及び（Ｂ）はその一例を示している。
【００３０】
ネット３はパネル１０の外側（外部２００側）に配置されており、不図示のポール等により支持されている。同図の例では、ネット３が、囲い１の上部とその上方にのみ設置されているが、囲い１の上方から地面に渡って配置されていても構わない。ネット３は樹脂製でも金属製でもいずれでもよい。
【００３１】
ネット３を設置することで、矢印ｄ２で示すように強い横風が吹いていた場合であっても、ネット３の場内１００側では、矢印ｄ３で示すように横風の勢いを弱めることができる。したがって、図４で説明したミスト幕Ｍの下降流を維持でき、また、余分なミストが外部２００へ大量に漏出することを防止することができる。ネット３に代えて通気性の無いパネルで横風を遮断することも考えられるが、横風が通気性の無いパネルにあたって上昇気流を生じて塵埃と共にパネルを乗り越えてしまい、ネット３のように通気性のある部材の設置よりも塵埃の飛散防止効果が劣ると考えられる。
【図１】
2015090059.tif 000003
【図２】
2015090059.tif 000004
【図３】
2015090059.tif 000005
【図４】
2015090059.tif 000006
【図５】
2015090059.tif 000007